(57)【要約】      （修正有）【課題】スマートフォンを保有していない高齢者等のユーザーであっても利用可能なライドシェアシステムを提供する。【解決手段】オペレーター端末と、ドライバー端末とを備えるライドシェアシステムであって、オペレーター端末は、ユーザーの氏名又はユーザー番号並びに出発地及び目的地を含む情報を入力する手段と、配車可能な車両に関する車両情報を受信する車両情報受信手段と、ドライバーに対する評価情報を入力する入力手段と、を備える。ドライバー端末は、ユーザーの氏名、出発地及び目的地等の情報を受信する情報受信手段と、ユーザーに対する評価情報を入力する入力手段と、を備える。ライドシェアシステムは、ドライバーのログイン状態、車両の位置情報及びユーザーの出発地情報に基づいて、ユーザーに配車可能な車両を選択する車両選択手段と、ドライバー及びユーザーの評価情報を受け付ける評価情報受付手段を備えるサーバをさらに有する。【選択図】図１
2020197955.tif 000002
【特許請求の範囲】
【請求項１】
オペレーターが所有するオペレーター端末と、該オペレーター端末と通信接続が可能なドライバーが所有するドライバー端末とを備え、ユーザーに配車可能な車両を選択するライドシェアシステムであって、
オペレーター端末が、
ユーザーの氏名又はユーザー番号、並びに、出発地及び目的地を含む情報を入力する手段と、
入力されたリクエスト情報をサーバに送信する情報送信手段と、
配車可能な車両に関する車両情報を受信する車両情報受信手段と、
ユーザーのドライバーに対する評価情報を入力する入力手段とを備え、
ドライバー端末が、
車両の位置情報をサーバに送信する車両位置情報送信手段と、
配車リクエスト情報並びにユーザーの氏名、出発地及び目的地を含む情報を受信する配車リクエスト受信手段と、
ユーザーに対する評価情報を入力する入力手段とを備え、
ライドシェアシステムが、
ドライバーのログイン状態、車両の位置情報、及びユーザーの出発地情報に基づいて、ユーザーに配車可能な車両を選択する車両選択手段と、
選択された配車可能な車両に関する車両情報を送信する車両情報送信手段と、
ドライバー及びユーザーの双方からの評価情報を受け付ける評価情報送受信手段と、
受け付けた評価情報を記憶する評価情報記憶手段とを備える、ライドシェアシステム。
【請求項２】
オペレーター端末が、さらに、
ユーザーからのドライバーに対する謝礼額を入力する入力手段を備え、
ライドシェアシステムが、さらに、
ユーザーからドライバーに対する謝礼額を受け付ける謝礼額送受信手段を備える、請求項１記載のライドシェアシステム。
【請求項３】
オペレーターが所有するオペレーター端末と、該オペレーター端末と通信接続が可能なドライバー端末とを備えたライドシェアシステムにおいて、ユーザーに配車可能な車両を選択する方法であって、オペレーター端末において、ユーザーの希望する出発地及び目的地の情報をオペレーターが入力するステップと、配車可能な車両の情報を受信するステップと、ユーザーのドライバーに対する評価情報及び謝礼額を入力するステップとを有し、ドライバー端末において、ユーザーの希望する出発地及び目的地の情報を受信するステップと、ユーザーの出発地及び目的地までの経路を表示するステップと、ドライバーのユーザーに対する評価情報を入力するステップとを有し、サーバにおいて、出発地及び車両の位置情報から配車可能な車両を選択するステップと、ドライバー及びユーザーの双方からの評価情報を記憶するステップとを有する、ライドシェア方法。
【請求項４】
オペレーターが所有するオペレーター端末、及び、ドライバーが所有するドライバー端末と通信接続が可能であり、ユーザーに配車可能な車両を選択するためのライドシェア支援装置であって、ユーザーの希望する出発地及び目的地を含む情報をオペレーター端末から受信するユーザー情報受信手段と、車両の位置情報及び受信したユーザーの出発地情報に基づき、ユーザーに配車可能な車両を選択する配車可能車両選択手段と、ドライバー及びユーザーの双方からの評価情報をドライバー端末及びオペレーター端末から受信する評価情報受付手段と、受け付けた評価情報を記憶する評価情報記憶手段と、ユーザーからの謝礼額をオペレーター端末から受信し、記憶装置に保存し、ドライバーに送信する謝礼額送受信手段とを備える、ライドシェア支援装置。
【発明の詳細な説明】
【技術分野】
【０００１】
本発明は、ライドシェアシステム、ライドシェア方法、及びライドシェア支援装置に関する。
【背景技術】
【０００２】
日常生活における移動手段として、一般的に電車や路線バス等の公共交通機関がある。これらは比較的安価に利用できるが、ルートや時間が決まっており、目的地までのドア・ツー・ドアの移動には不便な点が多い。公共交通機関を利用した場合でも、ドア・ツー・ドアの移動には徒歩の移動が含まれることになり、特に高齢者にとっては身体的な負担がある。また、地方においては、公共交通機関の利用可能エリアが狭く、頻度が低いこともあり、ユーザーにとってはさらに不便な場合がある。また、タクシーなどドア・ツー・ドアを実現する移動手段も存在するが、高齢者が買い物や病院への通院に日常的に利用するには高額であり、利用を躊躇せざるを得ない場合が存在する。昨今、このような問題を解決するために、ライドシェアサービスが登場している。一般的に、ライドシェアサービスとは、１台のタクシーに複数人が利用することで、安価にユーザーがタクシーを利用できるサービスや、一般のドライバーが運転する車両を一人又は複数人のユーザーが利用できサービス等をいう。いずれのサービスもスマートフォン等のアプリでユーザーとドライバーや他のユーザーをマッチングし、ドライバーがユーザーを乗車させ、目的地で降車後、ドライバーとユーザーが互いに評価をするシステムとなっている。
【先行技術文献】
【特許文献】
【０００３】
【特許文献１】特開２０１７−１６８０４７
【発明の概要】
【発明が解決しようとする課題】
【０００４】
既存のライドシェアサービスは、ユーザー及びドライバーがスマートフォンやタブレット型端末のアプリを操作することで利用できるよう設計されている。しかし、高齢者の場合、スマートフォンを保有していない人の方が多く、スマートフォンを保有していない高齢者の場合は既存のライドシェアサービスを利用することができない。
【０００５】
本発明は、スマートフォンを保有していないユーザー（例えば、高齢者）でも、ライドシェアサービスを利用できるシステム、方法及び支援装置を提供するものである。
【課題を解決するための手段】
【０００６】
本発明の要旨は、以下の通りである。
【０００７】
［１］オペレーターが所有するオペレーター端末と、該オペレーター端末と通信接続が可能なドライバーが所有するドライバー端末とを備え、ユーザーに配車可能な車両を選択するライドシェアシステムであって、
オペレーター端末が、
ユーザーの氏名又はユーザー番号、並びに、出発地及び目的地を含む情報を入力する手段と、
入力されたリクエスト情報をサーバに送信する情報送信手段と、
配車可能な車両に関する車両情報を受信する車両情報受信手段と、
ユーザーのドライバーに対する評価情報を入力する入力手段とを備え、
ドライバー端末が、
車両の位置情報をサーバに送信する車両位置情報送信手段と、
配車リクエスト情報並びにユーザーの氏名、出発地及び目的地を含む情報を受信する配車リクエスト受信手段と、
ユーザーに対する評価情報を入力する入力手段とを備え、
ライドシェアシステムが、
ドライバーのログイン状態、車両の位置情報、及びユーザーの出発地情報に基づいて、ユーザーに配車可能な車両を選択する車両選択手段と、
選択された配車可能な車両に関する車両情報を送信する車両情報送信手段と、
ドライバー及びユーザーの双方からの評価情報を受け付ける評価情報送受信手段と、
受け付けた評価情報を記憶する評価情報記憶手段とを備える、ライドシェアシステム。
［２］オペレーター端末が、さらに、
ユーザーからのドライバーに対する謝礼額を入力する入力手段を備え、
ライドシェアシステムが、さらに、
ユーザーからドライバーに対する謝礼額を受け付ける謝礼額送受信手段を備える、上記［１］記載のライドシェアシステム。
［３］オペレーターが所有するオペレーター端末と、該オペレーター端末と通信接続が可能なドライバー端末とを備えたライドシェアシステムにおいて、ユーザーに配車可能な車両を選択する方法であって、オペレーター端末において、ユーザーの希望する出発地及び目的地の情報をオペレーターが入力するステップと、配車可能な車両の情報を受信するステップと、ユーザーのドライバーに対する評価情報及び謝礼額を入力するステップとを有し、ドライバー端末において、ユーザーの希望する出発地及び目的地の情報を受信するステップと、ユーザーの出発地及び目的地までの経路を表示するステップと、ドライバーのユーザーに対する評価情報を入力するステップとを有し、サーバにおいて、出発地及び車両の位置情報から配車可能な車両を選択するステップと、ドライバー及びユーザーの双方からの評価情報を記憶するステップとを有する、ライドシェア方法。
［４］オペレーターが所有するオペレーター端末、及び、ドライバーが所有するドライバー端末と通信接続が可能であり、ユーザーに配車可能な車両を選択するためのライドシェア支援装置であって、ユーザーの希望する出発地及び目的地を含む情報をオペレーター端末から受信するユーザー情報受信手段と、車両の位置情報及び受信したユーザーの出発地情報に基づき、ユーザーに配車可能な車両を選択する配車可能車両選択手段と、ドライバー及びユーザーの双方からの評価情報をドライバー端末及びオペレーター端末から受信する評価情報受付手段と、受け付けた評価情報を記憶する評価情報記憶手段と、ユーザーからの謝礼額をオペレーター端末から受信し、記憶装置に保存し、ドライバーに送信する謝礼額送受信手段とを備える、ライドシェア支援装置。
【発明の効果】
【０００８】
本発明のライドシェアシステムは、スマートフォンやタブレット型端末等を持っていないユーザー（例えば高齢者等）であっても、ユーザーがオペレーターに対して通話等の手段によって、目的地等を伝え、オペレーターがユーザーの代わりに目的地等の必要な情報を入力することにより、乗車可能な一般のドライバーが運転する車両をマッチングでき、ユーザーが目的地まで移動することが可能となる。
【図面の簡単な説明】
【０００９】
【図１】本発明に係るライドシェアシステムの構成を示す図である。
【図２】本発明に係るオペレーター端末の構成を示すブロック図である。
【図３】本発明に係るサーバの構成を示すブロック図である。
【図４】本発明に係るドライバー端末の構成を示すブロック図である。
【図５】本発明に係る配車処理のフローチャートである。
【図６】本発明に係る乗降車処理のフローチャートである。
【図７】本発明に係る評価処理のフローチャートである。
【発明を実施するための形態】
【００１０】
以下、図面を参照して、本発明の実施の形態について説明をする。以下、効果に関する記載は、本発明の実施の形態の効果の一側面であり、ここに記載するものに限定されない。また、以下で説明するフローチャートを構成する各処理の順序は、処理内容に矛盾や不整合が生じない範囲で順不同である。
【００１１】
本発明は、ライドシェアの利用を希望するユーザーに乗車可能な車両を選択するライドシェアシステムに関する。本明細書において、車両とは、ユーザーを乗車させ、目的地まで輸送可能な交通手段のことをいい、例えば、自家用車、タクシー、ハイヤー、バス等が挙げられる。
【００１２】
（ライドシェアシステムの構成）
図１は、本発明の実施の形態の少なくとも１つに対応する、ライドシェアシステムの構成を示す図である。図示するように、本発明のライドシェアシステムは、オペレーター端末１と、通信ネットワーク２と、サーバ３と、１又は２以上のドライバー端末４（ドライバー端末４ａ、４ｂ、・・・４ｎ）とから構成される。なお、オペレーター端末は１台でも２台以上でもよい。
【００１３】
オペレーター端末１は、通信ネットワーク２を介してサーバ３と接続されている。ドライバー端末４は、通信ネットワーク２を介してサーバ３と接続されている。
【００１４】
オペレーター端末１は、ユーザーからの依頼を受けて、オペレーターがユーザーの代わりに乗車可能な車両を手配し、運行を監視するために用いる端末である。オペレーター端末１としては、例えば、パーソナルコンピューター、タブレット型端末、スマートフォン等が挙げられるが、これに限定されない。オペレーター端末１は、通信ネットワーク２を介してサーバ３と接続可能な装置であれば良い。
【００１５】
通信ネットワーク２は、例えば、インターネット、有線又は無線の講習電話網、有線又は無線ＬＡＮ、専用回線等、有線又は無線の公知の各種通信ネットワークを用いることができる。
【００１６】
サーバ３は、オペレーター端末１及びドライバー端末４の間で情報を送信したり、オペレーター端末１及びドライバー端末４との通信履歴を記憶して分析したりするための管理・運営用サーバである。
【００１７】
ドライバー端末４は、ドライバーが保有し、サーバ３との間で情報を送受信する端末である。ドライバー端末４としては、例えば、パーソナルコンピューター、スマートフォン、タブレット型端末、携帯電話、ＰＤＡ等が挙げられるが、これに限定されない。ドライバー端末４は、通信ネットワーク２を介してサーバ３と接続可能な装置であれば良い。
【００１８】
（オペレーター端末１の構成）
図２は、本発明の実施の形態の少なくとも１つに対応する、オペレーター端末の構成を示すブロック図である。図示するように、オペレーター端末１は、ＣＰＵ１１、表示装置１２、入力装置１３、記憶装置１４、及び、通信インターフェース１５等を具備しており、通信インターフェース１５により通信ネットワーク２と接続が可能である。
【００１９】
ＣＰＵ１１は、記憶装置１４等の記憶装置に格納されたプログラムやデータを参照し、実行する。表示装置１２は、オペレーターがユーザーから得た情報を入力するために必要な情報や、配車可能な車両の情報、運行状況などを表示する装置である。入力装置１３は、オペレーターがユーザーからの情報等を入力するための装置であって、例えば、キーボード、マウス等が挙げられる。記憶装置１４は、プログラムやデータを保存するための記憶領域として用いられるＲＯＭやストレージ、及びＣＰＵ１１の演算処理に必要な情報を一時的に格納するＲＡＭを含む。
【００２０】
（サーバ３の構成）
図３は、本発明の実施の形態の少なくとも１つに対応する、サーバの構成を示すブロック図である。図示するようにサーバ３は、ＣＰＵ３１、通信インターフェース３２、記憶装置３３等を具備しており、通信インターフェース３２により通信ネットワーク２と接続が可能である。記憶装置３３は、ユーザーＤＢ３３ａ、ドライバーＤＢ３３ｂ、及び運行ＤＢ３３ｃを含むが、これらのＤＢに限定されない。
【００２１】
ＣＰＵ３１は、記憶装置３３に格納されたプログラムやデータを参照し、実行する。記憶装置３３には、ユーザーの情報を保存するユーザーＤＢ３３ａ、ドライバーの情報を保存する３３ｂ、及び運行に関するデータを保存する運行ＤＢ３３ｃを含み、また、ＣＰＵ３１の演算処理に必要な情報を一時的に格納するＲＡＭも含む。
【００２２】
（ドライバー端末４の構成）
図４は、本発明の実施の形態の少なくとも１つに対応する、ドライバー端末の構成を示すブロック図である。図示するようにドライバー端末４は、ＣＰＵ４１、表示装置４２、入力装置４３、センサー４４、記憶装置４５、及び通信インターフェース４６等を有しており、通信インターフェース４６により通信ネットワーク２と接続が可能である。
【００２３】
ＣＰＵ４１は、記憶装置４５の記憶装置に格納されたプログラムやデータを参照し、実行する。表示装置４２は、ユーザーの氏名等の情報、出発地及び目的地に関する情報、車両周辺の地図等の情報を表示するディスプレーを含む。入力装置４３は、配車処理、乗降車処理及び評価処理に必要な情報を入力するための装置であって、表示装置４２と一緒になって、タッチパネルを備えていてもよい。センサー４４は、ＧＰＳセンサーであり、ＧＰＳセンサーの他に加速度センサー、ジャイロセンサー、指紋認証センサー、近接センサー、磁力センサー、輝度センサー等の各種センサーを備えていてもよい。記憶装置４５は、プログラムやデータを保存するための記憶領域として用いられるＲＯＭやストレージ、及びＣＰＵ４１の演算処理に必要な情報を一時的に格納するＲＡＭを含む。
【００２４】
（オペレーター端末１の機能）
オペレーター端末１は、ユーザー登録情報入力機能、ユーザー番号入力機能、ユーザー情報表示機能、出発地及び目的地入力機能、リクエスト情報送信機能、車両情報受信機能、運行完了情報受信機能、評価情報入力機能、謝礼額入力機能、及び評価情報受信機能等を有する。
【００２５】
ユーザー登録情報入力機能は、オペレーターによって入力された、ユーザー氏名、電話番号等の個人情報を、通信インターフェース１５によりサーバ３へ送信する機能である。
【００２６】
ユーザー番号入力機能は、配車を希望するユーザーから電話等で依頼を受けた際に、ユーザー氏名又はユーザー番号を入力するための画面を表示し、ユーザー氏名又はユーザー番号の入力を受け付ける機能である。オペレーター端末１は、通話機能を備えていてもよく、この場合、予めユーザーの電話番号とユーザー氏名及び／又はユーザー番号を保存しておき、ユーザーから電話がかかってきた際に自動的にユーザー氏名及び／又はユーザー番号が選択、表示される機能を有していてもよい。
【００２７】
ユーザー情報表示機能は、入力されたユーザー氏名又はユーザー番号に基づいて、サーバ３の記憶装置３３の中のユーザーＤＢ３３ａに保存されているユーザー情報を、通信インターフェース１５を介してＣＰＵ１１により呼び出し、表示装置１２に表示する機能である。
【００２８】
出発地及び目的地入力機能は、ユーザーから電話等で聴取したユーザーの出発地及び目的地を入力するための画面を表示装置１２に表示し、ユーザーの出発地及び目的地の入力を受け付ける機能である。
【００２９】
リクエスト情報送信機能は、出発地及び目的地入力機能により入力されたユーザーのリクエスト情報を、通信インターフェース１５を介してサーバ３に送信する機能である。
【００３０】
車両情報受信機能は、サーバ３の記憶装置３３の中のドライバーＤＢ３３ｂに保存されている、ユーザーに配車可能な車両の情報を、通信インターフェース１５を介して受信する機能である。車両情報受信機能が受信する情報としては、例えば、ユーザーに配車可能な車種、車色、ナンバープレート、車両の現在地等の車両の情報、ドライバーの氏名、電話番号等のドライバー情報等が挙げれられる。
【００３１】
運行完了情報受信機能は、ユーザーが降車し、ドライバーがドライバー端末４の表示装置４２に表示される運行完了ボタンを選択した場合に送信される運行完了情報を、通信インターフェース１５を介してサーバ３から受信する機能である。
【００３２】
評価情報入力機能は、オペレーターが、降車したユーザーから電話等の手段により聴取したドライバーに対する評価情報を、入力するための画面を表示装置１２に表示し、入力装置１３によりドライバーに対する評価情報の入力を受け付ける機能である。
【００３３】
謝礼額入力機能は、オペレーターが、降車したユーザーから電話等の手段により聴取したドライバーに支払う謝礼額を、入力するための画面を表示装置１２に表示し、入力装置１３によりドライバーに支払う謝礼額の入力を受け付ける機能である。
【００３４】
評価情報受信機能は、ドライバーのユーザーに対する評価情報を、通信インターフェース１５を介してサーバ３から受信する機能である。
【００３５】
（サーバ３の機能）
サーバ３は、ユーザー登録情報受信記憶機能、ユーザー番号受信機能、ユーザー情報送受信機能、車両位置情報受信機能、配車可能車両選択機能、最適ルート探索機能、配車リクエスト送信機能、車両情報送信機能、車両ステータス情報送受信機能、評価情報送受信機能、評価情報記憶機能、及び謝礼額送受信機能等を有する。
【００３６】
ユーザー登録情報受信記憶機能は、オペレーターがオペレーター端末１に入力したユーザー氏名、電話番号等の個人情報を、通信インターフェース３２を介して受信し、記憶装置３３のユーザーＤＢ３３ａに記憶する機能である。
【００３７】
ユーザー番号受信機能は、オペレーターがオペレーター端末１に入力したユーザー番号及び／又はユーザー氏名の情報を、通信インターフェース３２を介して受信する機能である。
【００３８】
ユーザー情報送受信機能は、記憶装置３３のユーザーＤＢ３３ａに保存されたユーザー氏名、住所、電話番号等のユーザーの個人情報を、通信インターフェース３２を介して、サーバ３からオペレーター端末１及び／又はドライバー端末４に送信する機能、並びに、オペレーター端末１からサーバ３に受信する機能である。
【００３９】
車両位置情報受信機能は、ドライバー端末４が発する車両の位置情報を、通信インターフェース３２を介して受信する機能である。
【００４０】
配車可能車両選択機能は、ドライバーがログインしているか否かのログイン状態、ユーザーの出発地情報及び車両の位置情報に基づいて、配車可能な車両を抽出し、距離又は所要時間等の条件から最適な車両を選択する機能である。
【００４１】
最適ルート探索機能は、ドライバーの現在位置、ユーザーの出発地及び目的地から最適なルートを探索する機能である。また、最適ルート探索機能は、得られた最適ルートを選択した場合における、ユーザーの迎車予定時間や目的地到着時間、距離に応じて計算されたガソリン代実費額等を算出する機能を有していてもよい。最適ルートの探索は、車両の走行距離や走行時間、道路の混雑状況などの観点に基づいて行われる。
【００４２】
配車リクエスト送信機能は、配車可能車両選択機能により選択された車両のドライバー端末４に対して、配車リクエストを送信する機能である。
【００４３】
車両情報送信機能は、配車可能車両選択機能により選択された配車可能な車両の情報であって、ドライバーＤＢ３３ｂに保存されたドライバーの氏名、電話番号等のドライバー個人情報、及び、ドライバーの現在地からユーザーの出発地までの距離や時間等の情報を、通信インターフェース３２を介してオペレーター端末１に送信する機能である。車両情報送信機能は、最適ルート探索機能により算出された、ユーザーの迎車予定時間等を、通信インターフェース３２を介してオペレーター端末１に送信する機能を有していてもよい。
【００４４】
車両ステータス情報送受信機能は、ユーザーが車両に乗車したか否か、及びユーザーが車両から降車したか否か、並びに車両の現在地等の車両ステータス情報を、通信インターフェース３２を介してドライバー端末４から受信し、さらに、通信インターフェース３２を介して、オペレーター端末１に送信する機能である。
【００４５】
評価情報送受信機能は、ユーザーが評価し、オペレーターが入力したドライバーに対する評価情報を、通信インターフェース３２を介してオペレーター端末１から受信する機能、及び、受信したドライバーに対する評価情報を、通信インターフェース３２を介してドライバー端末４に送信する機能である。さらに、ドライバーが入力したユーザーに対する評価情報を、通信インターフェース３２を介してドライバー端末４から受信する機能、及び、受信したユーザーに対する評価情報を、通信インターフェース３２を介してオペレーター端末１に送信する機能を有する。
【００４６】
評価情報記憶機能は、評価情報送受信機能が受信した評価情報を運行ＤＢ３３ｃに記憶する機能である。
【００４７】
謝礼額送受信機能は、オペレーターが入力したユーザーが任意で支払う謝礼額を、通信インターフェース３２を介してオペレーター端末１から受信し、運行ＤＢ３３ｃに保存する機能、及び、保存したドライバーに対する謝礼額を、通信インターフェース３２を介してドライバー端末４に送信する機能である。
【００４８】
（ドライバー端末４の機能）
ドライバー端末４は、車両位置情報送信機能、配車リクエスト受信機能、配車リクエスト承諾機能、ルート指示情報受信機能、車両ステータス情報入力機能、車両ステータス情報送信機能、評価情報入力機能、及び評価情報受信機能等を有する。
【００４９】
車両位置情報送信機能は、センサー４４に備えられたＧＰＳセンサーによって検知される車両の現在位置情報を、通信インターフェース４６を介してサーバ３に送信する機能である。
【００５０】
配車リクエスト受信機能は、サーバ３から送信される配車リクエスト及びユーザーＤＢ３３ａに保存されたユーザー氏名、電話番号等のユーザー個人情報、及び、運行ＤＢ３３ｃに保存されたユーザーの出発地及び目的地等の情報を、通信インターフェース４６を介して受信する機能である。
【００５１】
配車リクエスト承諾機能は、通信インターフェース４６を介して受信した配車リクエストに対して、ドライバーが承諾又は拒否の回答を選択し、その回答情報を、通信インターフェース４６を介してサーバ３に送信する機能である。
【００５２】
ルート指示情報受信機能は、サーバ３から送信されるルート指示情報を、通信インターフェース４６を介して受信する機能である。
【００５３】
車両ステータス情報入力機能は、ユーザーの乗車及び／又は降車の状態を示す車両ステータス情報を入力装置４３によって入力する機能である。車両ステータス情報の入力は、例えば、ドライバー端末４の表示装置４３に乗車ボタンを表示し、ユーザーが乗車をした際に、当該ボタンを車両のドライバーがタッチパネル等の入力装置４３でタップする等の操作をすることにより行われる。
【００５４】
車両ステータス情報送信機能は、車両ステータス情報を、通信インターフェース４６を介してサーバ３に送信する機能である。
【００５５】
評価情報入力機能は、ユーザーに対する評価情報を入力するための画面を表示装置４２に表示し、ユーザーに対する評価情報の入力を受け付ける機能である。
【００５６】
評価情報受信機能は、ユーザーのドライバーに対する評価情報を、通信インターフェース４６を介してサーバ３から受信する機能である。
【００５７】
続いて、本発明の実施の形態の前提について説明する。本発明の実施の形態の一例として、例えば、パーソナルコンピューターのブラウザ上に表示されるアプリケーションや、スマートフォンにインストールされるアプリケーション等が挙げられる。ドライバー端末４においてアプリケーションを起動すると、起動に関する情報として、例えば、ドライバー端末４に付与された識別情報等を取得する。さらに、ドライバーを識別するために、サーバ３と通信し、予め付与されたドライバーのアカウントを用いてログインする構成としてもよいし、起動時に取得したドライバー端末４の識別情報をサーバ３へ送信してもよい。ドライバー端末４の識別情報又はログインする際のドライバーのアカウントは、ドライバーを識別する一意のデータであり、ドライバー番号としてサーバ３に記憶される。
【００５８】
ユーザー又はドライバーの個人情報は、ユーザー番号又はドライバー番号に関連付けてサーバ３に記憶される。記憶される個人情報の項目としては、例えば、「氏名」、「性別」、「生年月日」、「住所」、「電話番号」、「メールアドレス」、「パスワード」、「クレジットカード番号」、「評価情報」、「利用履歴」等が挙げられる。
【００５９】
続いて、本発明のライドシェアシステムにおける乗車処理について説明する。図５は、本発明の実施の形態の少なくとも１つに対応する、配車処理のフローチャートの一例を示す。
【００６０】
乗車処理では、ドライバー端末４からセンサー４４により得られたドライバーの位置情報をサーバ３に随時送信する（ステップＳ１０１）。ユーザーの出発地及び目的地等の情報を入力するための入力画面が表示装置１２に表示され、オペレーターは、表示された内容に従って、情報を入力する（ステップＳ１０２）。出発地及び目的地の入力は、例えば、住所又は施設名を入力することにより行われる。また、ユーザーの過去の履歴から出発地及び／又は目的地を選択することによって入力を省略することもできる。入力された情報は、サーバ３へ送信される。
【００６１】
サーバ３は、受信した車両の位置情報、及び、ユーザーの出発地に基づいて、ユーザーの出発地から、距離や所要時間の点から最適な配車可能な車両を選択する（ステップＳ１０３）。
【００６２】
配車可能な車両を選択した後、ドライバー端末４に乗車を希望するユーザー情報が送信される（ステップＳ１０４）。ドライバー端末４に受信したユーザー情報が表示される（ステップＳ１０５）。さらに、配車を承諾するか拒否するかの選択肢が表示され（ステップＳ１０６）、ドライバーが配車の承諾を選択すると、承諾の情報がサーバ３に送信される（ステップＳ１０７）。ドライバーから承諾の情報をサーバ３が受信すると、サーバ３は、オペレーター端末１にドライバー情報を送信する（ステップＳ１０８）。オペレーター端末１がドライバー情報を受信し、表示する（ステップＳ１０９）。
【００６３】
続いて、本発明のライドシェアシステムにおける乗降車処理について説明する。図６は、本発明の実施の形態の少なくとも１つに対応する、乗降車処理のフローチャートの一例を示す図である。
【００６４】
車両の現在地及びユーザーの出発地等の情報に基づいた最適なルートがドライバー端末４に表示される（ステップＳ２０１）。
【００６５】
車両が出発地に接近すると、表示装置４２に乗車ボタンが表示され、ユーザーが車両に乗車した際、ドライバーは乗車ボタンをタップする等の操作をすることで、ユーザーの乗車情報を入力する（ステップＳ２０２）。ユーザー乗車情報は、サーバ３に送信される（ステップＳ２０３）。サーバ３は、ユーザーの乗車情報を受信し、オペレーター端末１に乗車情報を送信する（ステップＳ２０４）。オペレーター端末１が乗車情報を受信すると、表示装置１２に乗車情報が表示される（ステップＳ２０５）。
【００６６】
ユーザーの出発地から目的地までの最適ルートを探索し、ドライバー端末４の表示画面４２にルートが表示される（ステップＳ２０６）。ドライバーは表示されたルートに従って目的地まで走行する。
【００６７】
車両が目的地に接近すると、表示装置４２に降車ボタンが表示され、ユーザーが車両から降車した際、ドライバーは降車ボタンをタップする等の操作をすることで、ユーザーの降車情報を入力する（ステップＳ２０７）。入力されたユーザーの降車情報は、サーバ３に送信される（ステップＳ２０８）。サーバ３は、ユーザーの降車情報を受信し、オペレーター端末１に降車情報を送信する（ステップＳ２０９）。オペレーター端末１が降車情報を受信すると、表示装置１２に降車情報が表示される（ステップＳ２１０）。
【００６８】
さらに、本発明のライドシェアシステムにおける評価処理について説明する。図７は、本発明の実施の形態の少なくとも１つに対応する、評価処理のフローチャートの一例を示す図である。
【００６９】
ドライバーは、ドライバー端末４にユーザーに対する評価情報を入力し（ステップＳ３０１）、ドライバー端末４は、サーバ３に送信する（ステップＳ３０２）。サーバ３がユーザーに対する評価情報を受信すると、記憶装置３３の運行ＤＢ３３ｃに記憶する（ステップＳ３０３）。
【００７０】
オペレーターは、電話等の手段によって聴取したユーザーのドライバーに対する評価情報及び謝礼額を、オペレーター端末１の表示装置１２に入力する（ステップＳ３０４）。オペレーター端末１は、ドライバーに対する評価情報及び謝礼額をサーバ３に送信し（ステップＳ３０５）、サーバ３は評価情報及び謝礼額を受信し、記憶装置３３の運行ＤＢ３３ｃに記憶する（Ｓ３０６）。
【００７１】
本発明におけるドライバーに対する評価情報及びユーザーに対する評価情報は、例えば、数値や星マークの数で３段階又は５段階で評価することができる。
【００７２】
本発明におけるガソリン代実費の算出方法について説明する。ガソリン代実費は、１Ｌあたりのガソリン価格に車両の燃費値を除して、その値に実際に走行した距離を乗じた額である。１Ｌあたりのガソリン価格はオペレーター端末１の設定画面でガソリンの市場価格を入力し、サーバ３に保存される。ガソリン代の市場価格の変動に応じて、入力したガソリン価格を変更することができる。車両の燃費値は、ドライバー端末の設定画面で車両の燃費値（ｋｍ／Ｌ）を入力することができ、サーバ３のドライバーＤＢ３３ｂに保存される。また、車両の燃費値は、オペレーター端末１の設定画面で、例えば、ガソリン車は１０ｋｍ／Ｌ、ハイブリット車は１５ｋｍ／Ｌ等として一律に設定入力することも可能である。実際に走行した距離は、ドライバーが配車を承諾した地点からユーザーの出発地までの距離、及び、ユーザーの出発地から目的地までの距離の合計であり、さらに、ユーザーの出発地からドライバーの自宅までの距離を加えた距離でも良い。
【符号の説明】
【００７３】
１      オペレーター端末
１１    ＣＰＵ
１２    表示装置
１３    入力装置
１４    記憶装置
１５    通信インターフェース
２      通信ネットワーク
３      サーバ
３１    ＣＰＵ
３２    通信インターフェース
３３    記憶装置
３３ａ  ユーザーＤＢ
３３ｂ  ドライバーＤＢ
３３ｃ  運行ＤＢ
４      ドライバー端末
４１    ＣＰＵ
４２    表示装置
４３    入力装置
４４    センサー
４５    記憶装置
４６    通信インターフェース
【図１】
2020197955.tif 000003
【図２】
2020197955.tif 000004
【図３】
2020197955.tif 000005
【図４】
2020197955.tif 000006
【図５】
2020197955.tif 000007
【図６】
2020197955.tif 000008
【図７】
2020197955.tif 000009